(57)【要約】【課題】  容器本体に簡単にラベルを着脱自在に取付けることができる容器を提供すること。【解決手段】  容器本体１１の上面に開口部１２が形成され、容器本体１１の側壁部１３の上端部１３ａが開口部１２の縁となる容器１０にて、上端部１３ａの外面１３ｂ側に帯状部１４が連設され、帯状部１４に第１係止部１６が形成され、第１係止部１６は帯状部１４に形成された凹部状のものであり、第１係止部１６には互いに対向する一対の上下方向の溝１７ａ、１７ｂが形成され、ラベル２０はラベル本体２３とラベル本体２３の上端部に一体に形成された取付部２４を有し、取付部２４が溝１７ａ、１７ｂに係止可能であり、取付部２４の上端部の両側部には横方向に折り曲げ可能な片２５ａ、２５ｂが形成され、ラベル本体２３を取付部２４の下側にして取付部２４が第１係止部１６に係止された状態で、片２５ａ、２５ｂは横方向に折り曲げられる。【選択図】        図１
2006188257.tif 000002
【特許請求の範囲】
【請求項１】
容器本体および前記容器本体に着脱自在に取付け可能なラベルを備え、前記容器本体の上面に開口部が形成され、前記容器本体の側壁部の上端部が前記開口部の縁となる容器において、
前記側壁部の上端部の外面側に帯状部が連設され、
前記帯状部に係止部が形成され、前記係止部は前記帯状部に形成された凹部状のものであり、前記係止部には互いに対向する一対の上下方向の溝が形成され、
前記ラベルはラベル本体とこのラベル本体の上端部に一体に形成された取付部を有し、前記ラベルの取付部が前記一対の上下方向の溝に係止可能であり、
前記ラベルの取付部の上端部の側部には横方向に折り曲げ可能な片が形成され、
前記ラベル本体をラベルの取付部の下側にして前記ラベルの取付部が前記係止部の一対の上下方向の溝に係止された状態で、前記折り曲げ可能な片は横方向に折り曲げられることを特徴とする容器。
【請求項２】
請求項１に記載した容器であって、
前記係止部に係止されたラベルの取付部の裏面に接触する凸部が前記係止部に形成されていることを特徴とする容器。
【請求項３】
請求項１または２のいずれかに記載した容器であって、
前記ラベル本体の上端部と一体に差込片が形成され、
前記ラベル本体をラベルの取付部の下側にして前記ラベルの取付部が前記係止部の一対の上下方向の溝に係止された状態で、前記差込片が前記容器本体の側壁部と帯状部との間に差し込み可能であることを特徴とする容器。
【発明の詳細な説明】
【技術分野】
【０００１】
本発明は、水を張った容器に切花を立てたものを流通させ、使用後の容器は回収して再利用、再生を行う切花流通システムに使用する容器に関するものである。
【背景技術】
【０００２】
従来、水を張った容器に切花を立てたものを流通させる場合に、容器の容器本体にラベルを着脱自在に取付け、このラベルに切花の種類、生産者、産地等を表示している（例えば特許文献１）。この場合、可撓性があるシート状のラベルの上端部、下端部および両側端部のいずれかに第１の一対の切込を形成し、前記上端部、下端部および両側端部のうち前記第１の一対の切込を形成した側と反対側の端部に第２の一対の切込を形成し、前記第１一対の切込の間の部分を第１の舌片とし、前記第２の一対の切込の間の部分を第２の舌片としている。そして、容器本体のラベル取付け個所は、開口部が形成された板状の取付け個所であり、この取付け個所にラベルを取付ける場合に、この板状の取付け個所の表側にラベルを重ねて配置し、前記第１および第２の舌片の可撓性によって、前記第１および第２の舌片を前記開口部から前記板状の取付け個所の裏側に差込むことによってラベルと前記各舌片で前記板状の取付け個所を挟むことにより、表示板を前記取付け個所に自在に取付けている。
【特許文献１】特開２００２−２５８７４６号公報
【発明の開示】
【発明が解決しようとする課題】
【０００３】
しかし、上述の従来例の容器では、ラベルの２箇所に形成した舌片を利用してラベルを容器本体に取付けているので、ラベルの１箇所を容器本体に取付けることで簡単にラベルを容器本体に取付けることができないという問題があった。
そこで、本発明が解決しようとする課題は、上述の問題点をなくし、従来例よりも簡単にラベルを容器本体に着脱自在に取付けることができる容器を提供することである。
【課題を解決するための手段】
【０００４】
上記課題を解決するため、請求項１記載の発明は、容器本体および前記容器本体に着脱自在に取付け可能なラベルを備え、前記容器本体の上面に開口部が形成され、前記容器本体の側壁部の上端部が前記開口部の縁となる容器において、前記側壁部の上端部の外面側に帯状部が連設され、前記帯状部に係止部が形成され、前記係止部は前記帯状部に形成された凹部状のものであり、前記係止部には互いに対向する一対の上下方向の溝が形成され、前記ラベルはラベル本体とこのラベル本体の上端部に一体に形成された取付部を有し、前記ラベルの取付部が前記一対の上下方向の溝に係止可能であり、前記ラベルの取付部の上端部の側部には横方向に折り曲げ可能な片が形成され、前記ラベル本体をラベルの取付部の下側にして前記ラベルの取付部が前記係止部の一対の上下方向の溝に係止された状態で、前記折り曲げ可能な片は横方向に折り曲げられることを特徴とする容器である。
これにより、容器本体の上面開口部の縁となる容器の側壁部の上端部の外面側に連設された帯状部に係止部が形成され、ラベルのラベル本体の上端部に一体に形成された取付部の上端部の側部には横方向に折り曲げ可能な片が形成され、前記ラベル本体をラベルの取付部の下側にして前記係止部に形成された一対の上下方向の溝に前記ラベルの取付部が係止され、前記折り曲げ可能な片は前記帯状部の上側において横方向に折り曲げられるので、ラベル本体を容器本体の側壁部の外面に沿わせた状態でラベルを容器本体に着脱自在に取付けることがでる。さらに、前記横方向に折り曲げた片は、係止部の一対の上下方向の溝を通過できないので、係止部に係止されたラベルが下方に落下することを防ぐストッパになる。
【０００５】
さらに、請求項２記載の発明は、請求項１に記載した容器であって、前記係止部に係止されたラベルの取付部の裏面に接触する凸部が前記係止部に形成されていることを特徴とする容器である。
これにより、前記係止部のうち前記ラベルの取付部の裏面に接触する部分に凸部が形成されているので、前記係止部に形成された一対の上下方向の溝と前記凸部により係止部に係止したラベルががたつくことを少なくすることができる。
【０００６】
さらに、請求項３記載の発明は、請求項１または２のいずれかに記載した容器であって、前記ラベル本体の上端部と一体に差込片が形成され、前記ラベル本体をラベルの取付部の下側にして前記ラベルの取付部が前記係止部の一対の上下方向の溝に係止された状態で、前記差込片が前記容器本体の側壁部と帯状部との間に差し込み可能であることを特徴とする容器である。
これにより、前記ラベル本体の上端部と一体に形成された差込片を前記容器本体の側壁部と帯状部との間に差し込むことによりラベルを一層確実に容器本体に取付けることができる。
【発明の効果】
【０００７】
請求項１記載の発明に係る容器によれば、簡単にラベルを容器本体に着脱自在に取付けることができる。
さらに、請求項２記載の発明は、請求項１記載の発明の効果とともに、容器本体に着脱自在に取付けたラベルががたつくことを少なくすることができる。
さらに、請求項３記載の発明は、請求項１または２のいずれかに記載した発明の効果とともに、ラベルを一層確実に容器本体に取付けることができる。
【発明を実施するための最良の形態】
【０００８】
以下、本発明における実施の形態を図面に基づいて説明する。
図１は本発明の実施の形態に係る容器の外観を示し、図２は図１に示す容器の容器本体の外観を示し、図３は図２に示す容器本体の係止部等の平面を示し、図４は図２に示す容器本体の係止部等の底面を示し、図５は図１に示す容器のラベルの正面を示す。
【０００９】
図１に示すように、容器１０は容器本体１１と容器本体１１に着脱自在に取付け可能なラベル２０を備えている。そして、容器本体１１の上面に開口部１２が形成され、容器本体１１の側壁部１３の上端部１３ａが開口部１２の縁となる。
側壁部１３の上端部１３ａの外面１３ｂ側に帯状部１４が連設され、帯状部１４の側面１４ｂに第１係止部１６および第２係止部１６ｘが形成されている。第１係止部１６と第２係止部１６ｘは帯状部１４の互いに反対側の部位に形成されている。なお、第１係止部１６と第２係止部１６ｘは同じ構造のものであるので、以下において第１係止部１６について説明し、第２係止部１６ｘの説明を省く。
第１係止部１６は帯状部１４に形成された凹部状のものであり、第１係止部１６の両側部に互いに対向する一対の上下方向の第１溝１７ａおよび第２溝１７ｂが形成されている。
なお、帯状部１４の上面１４ａには、水抜き用の複数の孔１５が形成されている。また、図４に示すように、側壁部１３の外面１３ｂと帯状部１４を連結する補強用の複数のリブ１９が形成されている。
【００１０】
ラベル２０は板状（シート状を含む。）のものであり、ラベル本体２３とこのラベル本体２３の上端部に一体に形成された取付部２４を備えている。取付部２４の上端部の両側部には一対の横方向に折り曲げ可能な第１片２５ａおよび第２片２５ｂが形成されている。図５に示すように、第１片２５ａは第１切込２６ａで取付部２４から分離され、第１折曲線２７ａで取付部２４に連設されている。同様に、第２片２５ｂは第２切込２６ｂで取付部２４から分離され、第２折曲線２７ｂで取付部２４に連設されている。なお、ラベル本体２３の横方向の幅２３ａは取付部２４の横方向の幅２４ａより広い。
図１に示すように、ラベル本体２３を取付部２４の下側にして取付部２４が第１係止部１６の第１および第２溝１７ａ、１７ｂ間に係止された状態で、一対の折り曲げ可能な第１および第２片２５ａ、２５ｂは横方向（開口部１２側または開口部１２ａ側と反対方向）に折り曲げられる。
ラベル２０の表面２１側のラベル本体２３には容器本体１１に収容される切花等の種類、生産者、産地等が表示される。
【００１１】
また、図３に示すように、第１係止部１６に係止されたラベル２０の取付部２４の裏面２２の中央部に接触する上下方向に延びる凸部１８が第１係止部１６に形成されている。図２に示すように、凸部１８は、その頂部１８ａの両側において傾斜面１８ｂ、１８ｃが形成されたものである。
【００１２】
図５に示すように、取付部２４の両側に位置する第１差込片２８ａおよび第２差込片２８ｂがラベル本体２３の上端部と一体に形成され、図４に示すように、取付部２４が第１係止部１６の第１および第２溝１７ａ、１７ｂ間に係止された状態で、一対の差込片２８ａ、２８ｂが容器本体１１の側壁部１３と帯状部１４との間に差し込み可能である。
【００１３】
以上の構成の容器１０は以下の作用をする。
ラベル２０のラベル本体２３を取付部２４の下側にして取付部２４が第１係止部１６に係止される。その際、ラベル２０の取付部２４が一対の上下方向の第１溝１７ａおよび第２溝１７ｂに係止される。すなわち、第１片２５ａおよび第２片２５ｂが各折曲線２７ａ、２７ｂで折り曲げれていない状態で、図３に示すように、取付部２４が第１溝１７ａおよび第２溝１７ｂの下方から差し込まれて、取付部２４の一方の側部が第１溝１７ａに係止され、取付部２４の他方の側部が第２溝１７ｂに係止される。
つぎに、一対の折り曲げ可能な第１および第２片２５ａ、２５ｂは帯状部１４の上側において各折曲線２７ａ、２７ｂで横方向（開口部１２方向またはその反対方向）に折り曲げられるので、ラベル本体２３を容器本体１１の側壁部１３の外面１３ｂに沿わせた状態でラベル２０を容器本体１１に着脱自在に取付けることができる。
第１片２５ａおよび第２片２５ｂは帯状部１４の上側において横方向に折り曲げられるため、前記横方向に折り曲げた第１片２５ａおよび第２片２５ｂは、第１係止部１６の一対の上下方向の溝１７ａ、１７ｂを通過できないので、第１係止部１６に係止されたラベル２０が第１係止部１６から下方に落下することを防ぐストッパになる。また、ラベル２０自体の荷重は上下方向にかかるが、第１片２５ａおよび第２片２５ｂの折り曲げ方向は横方向であるので、ラベル２０自体の荷重は前記第１片２５ａおよび第２片２５ｂの折り曲げ方向と直角方向であるので、前記第１片２５ａおよび第２片２５ｂの折り曲げ状態を変えるものではない。そして、前記ラベル２０自体の荷重により折り曲げられた第１片２５ａおよび第２片２５ｂは帯状部１４の上面１４ａに押し付けられる。このため、第１片２５ａおよび第２片２５ｂと帯状部１４の上面１４ａとの摩擦力により、前記第１片２５ａおよび第２片２５ｂの折り曲げ状態は維持される。
そして、第１係止部１６の両側部に形成された一対の溝１７ａ、１７ｂに、ラベル２０の取付部２４が係止されるので、ラベル２０を第１係止部１６に確実に取付けることができる。
【００１４】
さらに、第１係止部１６のうちラベル２０の取付部２４の裏面２２に接触する部分に上下方向に延びる凸部１８が形成されているので、第１係止部１６の両側部に形成された一対の第１溝１７ａおよび第２溝１７ｂと上下方向に延びる凸部１８により第１係止部１６に係止したラベル２０ががたつくことを少なくすることができる。
さらに、ラベル２０の取付部２４の両側にラベル本体２３と一体に形成された各差込片２８ａ、２８ｂを容器本体１１の側壁部１３と帯状部１４との間に差し込むことによりラベル２０を一層確実に容器本体１１に取付けることができる。
なお、第２係止部１６ｘは、第１係止部１６と同じ動作をする。
【００１５】
なお、上記実施の形態において、差込片２８ａ、２８ｂはなくてもよい。また、第1片２５ａおよび第２片２５ｂのうち一方を省いてもよい。また、凸部１８が取付部２４の裏面２２に接触する個所は裏面２２の中央部でなくてもよい。また、凸部１８の形状は上下方向のものでなくてもよい。
【図面の簡単な説明】
【００１６】
【図１】本発明の実施の形態に係る容器の外観を示す斜視図である。
【図２】図１に示す容器の容器本体の外観を示す斜視図である。
【図３】図２に示す容器本体の係止部等の平面図である。
【図４】図２に示す容器本体の係止部等の底面図である。
【図５】図１に示す容器のラベルの正面図である。
【符号の説明】
【００１７】
１０  容器
１１  容器本体
１２  開口部
１３  側壁部
１３ａ  上端部
１３ｂ  外面
１４  帯状部
１６  第１係止部
１６ｘ  第２係止部
１７ａ  第１溝
１７ｂ  第２溝
１８  凸部
２０  ラベル
２２  裏面
２３  ラベル本体
２４  取付部
２５ａ  第１片
２５ｂ  第２片
【図１】
2006188257.tif 000003
【図２】
2006188257.tif 000004
【図３】
2006188257.tif 000005
【図４】
2006188257.tif 000006
【図５】
2006188257.tif 000007